【事件の表示】
　特願２００１−３７４２７９「携帯電話機、携帯電話機のアラーム音発生停止方法及び擬似着信通話開始停止方法」拒絶査定不服審判事件〔平成１５年　７月３１日出願公開、特開２００３−２１８９９０〕について、次のとおり審決する。
【結　論】
　本件審判の請求は、成り立たない。
【理　由】
１．手続の経緯 
　本願は、特許法第４１条に基づく優先権主張を伴う平成１３年１２月７日（優先日、平成１３年１１月１５日）の出願であって、平成１６年７月１２日付けで拒絶の査定がなされ、これに対し、同年８月２７日に拒絶査定に対する不服の審判請求がなされたものである。
　
２．本願発明 
　本願の請求項１に係る発明（以下、同項記載の発明を「本願発明」という。）は、平成１６年６月２１日付けの手続補正により補正された明細書及び図面の記載からみて、その請求項１に記載された事項により特定される以下のとおりのものである。 
 　
「【請求項１】　
　操作ボタンを備えた携帯電話機において、
　アラーム音を発生させる第１の操作ボタンと、
　アラーム音を停止させる第２の操作ボタンと、
　前記第１の操作ボタンを設定するアラーム音発生ボタン設定手段と、
　前記第２の操作ボタンを設定するアラーム音停止ボタン設定手段と、
　前記アラーム音発生ボタン設定手段及びアラーム音停止ボタン設定手段によって設定された第１の操作ボタン及び第２の操作ボタンの設定情報を記憶するボタン設定記憶手段と、
　前記第１の操作ボタンが所定回数押された場合だけに、アラーム音を発生させ、前記第２の操作ボタンが所定回数押された場合だけに、アラーム音を停止させるアラーム音発生停止手段とを有し、
　前記第１の操作ボタン及び第２の操作ボタンは、本体に専用に設けられた操作ボタンではなく、予め設けられている既存の操作ボタンである、　
　ことを特徴とする携帯電話機。」 
  　　　　　　　　　　　　　 
３．引用発明 及び周知技術
　Ａ．原査定の拒絶の理由に引用され、本願の出願の日前である平成１３年６月２９日に頒布された特開２００１−１７７６１１号公報（以下、「引用例」という。）には、「携帯電話機」の発明に関し、図面とともに以下の事項が記載されている。 
　イ）「【０００１】
【発明の属する技術分野】本発明は、防犯ブザーを有する携帯電話機に関する。」（第２頁１欄）
　ロ）「【０００５】本発明は前記課題を解決するものであり、電話番号入力用のキーなどを用いた暗証番号の入力によって、使用者が意図した場合にだけ防犯ブザーを鳴動させることができる携帯電話機を得ることを目的とする。」（第２頁１欄） 
　ハ）「【０００８】
【発明の実施の形態】以下、本発明の実施の一形態を図について説明する。図１は本発明の実施形態携による携帯電話機を示すブロック図であり、同図において、・・・（中略）・・・ＣＰＵ１１は上記のような機能に加えて、警報用暗証番号および警報解除用暗証番号を解読して、警報信号の出力制御を行う機能をも有する。・・・（中略）・・・データ読み書き用のランダムアクセスメモリ（ＲＡＭ）１３は、ユーザ設定データなどを格納するメモリエリアであり、ここには前記の警報用暗証番号および警報解除用暗証番号・・・（中略）・・・なども格納される。」（第２頁２欄）
　ニ）「【００１０】さらに、操作部２０は「０」〜「９」の数字キーおよびコードキーからなるテンキーやファンクションキー等から構成され、警報用暗証番号および警報解除用暗証番号もテンキーを用いて入力される。・・・（中略）・・・ブザー駆動回路２２は、ＣＰＵ１１が操作部２０からの警報用暗証番号の入力があったとき出力する警報信号を受けて。ブザー駆動電流を出力し、この出力電流によりブザー２３を鳴動させる。」（第２頁２欄）
　ホ）「【００１２】ところで、このような構成の携帯電話機を携帯しているときに、痴漢やその他の犯罪に遭遇する場合があり、このような場合には、携帯者が自身で記憶している前記暗証番号を、複数（例えば３個）のテンキーなどを使って、操作部２０から入力する。ＣＰＵ１１は、この入力された暗証番号がＲＡＭ１３に登録されている警報用暗証番号に一致するか否かを判断し、一致すると判断したとき（図２のステップＳ１）、ブザー駆動回路２２に警報信号を出力する。この警報信号を受け、ブザー駆動回路２２は防犯ブザー２３を鳴動させる（ステップＳ２）。」（第３頁３欄）
　ヘ）「【００１５】・・・（中略）・・・次に、携帯者の危険が回避された場合には、警報解除するための暗証番号を操作部２０のテンキーなどを操作して入力する。この入力した暗証番号がＲＡＭ１３に登録されている警報解除用暗証番号に一致すると判断したとき（ステップＳ５）、ブザー駆動回路２２への警報信号の出力を停止する。これにより、防犯ブザー２３の鳴動が停止する（ステップＳ６）。・・・（中略）・・・。」（第３頁４欄）
　ト）「【００１７】
【発明の効果】以上のように、本発明によれば、警報用暗証番号の入力があった場合にのみ警報信号出力回路から警報信号を出力させ、これにもとづいて防犯ブザーを鳴動させるようにすることで、携帯電話機を所持する使用者が警報を意図した場合にのみ防犯ブザーを鳴動させることができ、一方、警報解除用暗証番号の入力があった場合にのみ、防犯ブザーの鳴動を停止させることができる。従って、従来におけるようなワンステップ操作で簡単に、かつ不用意に防犯ブザーが鳴動して周囲の人を驚かすという不具合を回避できる。」（第３頁４欄）
  　
　上記記載において、その段落０００８の「データ読み書き用のランダムアクセスメモリ（ＲＡＭ）１３は、
ユーザ設定データ
　また、ＣＰＵ１１は、警報用暗証番号の入力があったとき防犯ブザー２３を鳴動させる一方、警報解除用暗証番号の入力があったとき防犯ブザー２３の鳴動を停止させるものだから、防犯ブザー音発生停止手段であるということができる。
　更に、上記記載における「テンキー」は、本体に専用（警報向け）に設けられた操作ボタンではなく、予め設けられている既存の操作ボタンであることが自明である。
　
　すると、上記引用例の記載、及びこの分野の技術常識を考慮すれば、引用例には、以下の発明（以下、「引用発明」という。）が開示されているものと認められる。
「操作部にテンキーを備えた携帯電話機において、
　防犯ブザー音を発生させる警報用暗証番号で操作されるテンキーと、
　防犯ブザー音を停止させる警報解除用暗証番号で操作されるテンキーと、
　前記警報用暗証番号で操作されるテンキーを設定する防犯ブザー音発生テンキー設定手段と、
　前記警報解除用暗証番号で操作されるテンキーを設定する防犯ブザー音停止テンキー設定手段と、
　前記防犯ブザー音発生テンキー設定手段及び防犯ブザー音停止テンキー設定手段によって設定された、警報用暗証番号で操作されるテンキー及び警報解除用暗証番号で操作されるテンキーの設定情報を記憶するランダムアクセスメモリと、
　前記警報用暗証番号で操作されるテンキーが警報用暗証番号で押された場合だけに、防犯ブザー音を発生させ、前記警報解除用暗証番号で操作されるテンキーが警報解除用暗証番号で押された場合だけに防犯ブザー音を停止させる防犯ブザー音発生停止手段とを有し、
　前記警報用暗証番号で操作されるテンキー及び警報解除用暗証番号で操作されるテンキーは、本体に専用に設けられた操作ボタンではなく、予め設けられている既存の操作ボタンである、　
　ことを特徴とする携帯電話機。」
　
　Ｂ．周知例として提示するが、特開平１１−３４１５６７号公報（以下、「周知例１」という。）には、図面とともに以下の事項イ）、ロ）が記載され、同じく特開平１０−１０７９２３号公報（以下、「周知例２」という。）には、図面とともに以下の事項ハ）が記載され、同じく特開２０００−２９３７７９号公報（以下、「周知例３」という。）には、図面とともに以下の事項ニ）が記載され、同じく登録実用新案第３０３５７８４号公報（以下、「周知例４」という。）には、図面とともに以下の事項ホ）が記載され、同じく登録実用新案第３０７７２０９号公報（以下、「周知例５」という。）には、図面とともに以下の事項ヘ）が記載され、同じく特開平１１−２３２５６０号公報（以下、「周知例６」という。）には、図面とともに以下の事項ト）が記載され、同じく特開昭６０−２２５２９５号公報（以下、「周知例７」という。）には、図面とともに以下の事項チ）が記載されている（下線加筆）。　
　イ）「【０００１】
【発明の属する技術分野】本発明は、携帯電話端末に係り、より詳しくは加入者の非常事態時に非常アラームを鳴らすとともに自動発信連絡機能を具備する携帯電話端末に関する。」（周知例１、第２頁１欄）、
　ロ）「【００１８】更に、非常検出部９が制御部１２に検出信号を送信することによって音声出力部４から防犯アラーム音を出すようにすることも出来る。又、この時の防犯アラームの音量は制御部１２の中に有る音量調節部によって最大に設定される（図示無し）。又自動発呼と防犯アラームは同時に動作させることも可能である。
・・・（中略）・・・
【００２０】次に、図２を用いて本発明の一連の動作を説明する。尚、図２は本発明の一実施例であり、防犯アラームと自動発呼及び緊急メッセージの送信を作動させるように設定したものである。
【００２１】図２は、本発明の一実施例における一連の動作を示すフローチャートである。加入者が非常時のとき
キー入力部に所定の入力
ワンタッチダイヤル
を数秒間押す
非常時におけるキー入力部の所定の入力は様々な方法が考えられるが、通常の操作やカバン内で簡単に入力されてしまう方法では困る。しかしながら、非常時に複雑な入力ではなくカバンの中でも手探りで入力できるような方法が良い
リンガー音を最大の音量で鳴らす
発信のボタンを押す
リンガーを停止させる
　ハ）「【００２４】この状態で携帯者が例えば痴漢に出くわしたとき、救助を求めるべく操作部１４の緊急連絡キーを押下する。この緊急連絡キーは、専用に設けることなく、無線電話機の
既存のキーを使用
１つ
操作性を考慮して簡単に操作可能
　ニ）「【００１４】また、利用者宅２に備えられた電話機３に、利用者１が異常の発生を警備会社５に伝える際に押す緊急ボタン４を設けると共に、この緊急ボタン４を押すことにより、前記ポケットベル６の呼出番号を自動的にダイヤルするオートダイヤラ（図示せず）を内臓する。前記緊急ボタン４としては、
例えば電話機３に予め設けられている「♯」ボタンなどを使用する
  ホ）「【００１２】
  本例は、通勤電車等の込み合った車内での痴漢防止を目的にしているため、警報音は、電話音とは異なるものとする。これは、最近、車内で携帯電話の電話音が鳴ることがあるので車中の人に痴漢発生と明確に伝えるためである。痴漢防止音は、
防犯音スイッチ８を３回押すと鳴る
　ヘ）「【０００３】
【考案が解決しようとする課題】
一般的に危機感を抱いた時、例えば電車内の痴漢行為、夜間の不審者など身辺に危険を感じ救援要請事案発生時に携帯電話機器及びＰＨＳ電話機器など利用して犯罪を未然に防げる様にする、この場合、携帯する電話機器に警報音発生回路及び救援メッセージ発声回路を内蔵する、この場合の操作は電話機器使用者が高度な知識等を要すること無く婦女子供高齢者、身体障害者等、容易に作動させることが出来る事である、使用の際はキー操作面の目視を要せずハンドバック、ポケット等に有っても電話通信時に使用する何れかの操作キーを
同一連続４回押す
　ト）「【００２２】また、複数のキーを同時に一定時間以上操作した場合に警報音を発生するように構成した・・・（中略）・・・
【００２５】また、本実施例では、ステップ１０７、１０８に示すように、
終話キーが押下された場合に警報音を停止する
他のキーに設定してもよい
　チ）「一方、「ＮＳ／＃」キー４５が２回押圧された場合は前述のステップＳ１の動作に戻る。すなわち、この実施例では、
警報を解除するために
２回押圧さる
　
　上記イ）〜ニ）の記載によれば、「電話機に設けられた既存の操作ボタンの特定の一つが警報音発生等の緊急ボタンとして設定されること、及びその入力の態様は、誤操作がなく、複雑でもないよう設計されるべきこと」は周知である。
　更に、上記ホ）、ヘ）の記載によれば、「誤操作防止のため、電話機に設けられた操作ボタンが所定回数押された場合に、警報音が発せられるようにすること」は周知である。
　また、上記ロ）及びト）の記載によれば、「電話機に設けられた既存の操作ボタンのうち、警報の発生用とは別の特定の操作ボタンが警報停止用に設定されること」は周知である。
　更に、上記チ）の記載によれば、「操作ボタンが所定回数押された場合に、警報音を停止させること」は周知である。
　　 　　　　　　　　　　 
４．対比・判断 
　
４−１）対比
　そこで、本願発明と引用発明とを対比する。  　　　　　　　　　 
　イ）引用発明の操作部に備えたテンキーは、「操作ボタン」であるということができるから、「操作部にテンキーを備えた携帯電話機」は、本願発明の「操作ボタンを備えた携帯電話機」という構成において一致する。
　ロ）引用発明の「防犯ブザー音」は本願発明の「アラーム音」に相当することが明らかだから、引用発明の「防犯ブザー音を発生させる警報用暗証番号で操作されるテンキー」と本願発明の「アラーム音を発生させる第１の操作ボタン」は、「アラーム音を発生させる発生用の操作ボタン」という構成において一致する。
　ハ）同様に、引用発明の「防犯ブザー音を停止させる警報解除用暗証番号で操作されるテンキー」と本願発明の「アラーム音を停止させる第２の操作ボタン」は、「アラーム音を停止させる停止用の操作ボタン」という構成において一致する。
　ニ）引用発明のａ「防犯ブザー音発生テンキー設定手段」、ｂ「防犯ブザー音停止テンキー設定手段」、ｃ「ランダムアクセスメモリ」、ｄ「防犯ブザー音発生停止手段」は、それぞれ、本願発明のａ’「アラーム音発生ボタン設定手段」、ｂ’「アラーム音停止ボタン設定手段」、ｃ’「ボタン設定記憶手段」、ｄ’「アラーム音発生停止手段」に相当する。
　ホ）引用発明の「前記警報用暗証番号で操作されるテンキーが警報用暗証番号で押された場合」と、本願発明の「前記第１の操作ボタンが所定回数押された場合」は、「前記発生用の操作ボタンが所定態様で押された場合」という構成で共通する。
　ヘ）同様に、引用発明の「前記警報解除用暗証番号で操作されるテンキーが警報解除用暗証番号で押された場合」と、本願発明の「前記第２の操作ボタンが所定回数押された場合」は、「前記停止用の操作ボタンが所定態様で押された場合」という構成で共通する。
　
　したがって、本願発明と引用発明は、次の点で一致し、相違する。 
 　　　　　　　　　　 
 [一致点] 
　操作ボタンを備えた携帯電話機において、
　アラーム音を発生させる発生用の操作ボタンと、
　アラーム音を停止させる停止用の操作ボタンと、
　前記発生用の操作ボタンを設定するアラーム音発生ボタン設定手段と、
　前記停止用の操作ボタンを設定するアラーム音停止ボタン設定手段と、
　前記アラーム音発生ボタン設定手段及びアラーム音停止ボタン設定手段によって設定された発生用の操作ボタン及び停止用の操作ボタンの設定情報を記憶するボタン設定記憶手段と、
　前記発生用の操作ボタンが所定態様で押された場合だけに、アラーム音を発生させ、前記停止用の操作ボタンが所定態様で押された場合だけに、アラーム音を停止させるアラーム音発生停止手段とを有し、
　前記発生用の操作ボタン及び停止用の操作ボタンは、本体に専用に設けられた操作ボタンではなく、予め設けられている既存の操作ボタンである、　
　ことを特徴とする携帯電話機。 
 　　　　　　　　　　 
[相違点１］
　アラーム音の発生について、本願発明では第１の操作ボタンが、所定回数押された場合だけに発生させるのに対して、引用発明では、警報用暗証番号で操作される操作ボタンが、警報用暗証番号で押された場合だけに発生させる点。
　
[相違点２]
　アラーム音の停止について、本願発明では第２の操作ボタンが、所定回数押された場合だけに停止させるのに対して、引用発明では警報解除用暗証番号で操作される操作ボタンが、警報解除用暗証番号で押された場合だけに停止させる点。
 　  　　　　　　　　　　　　　　 
４−２）判断
[相違点１について］
　上記「３．引用発明 及び周知技術」の「Ｂ．］の項に述べたように、「電話機に設けられた既存の操作ボタンの特定の一つが警報音発生等の緊急ボタンとして設定されること、及びその入力の態様は、誤操作がなく、複雑でもないよう設計されるべきこと」は周知である。
　更に、同様に、「誤操作防止のため、電話機に設けられた操作ボタンが所定回数押された場合に、警報音が発せられるようにすること」は周知である。
  そして、引用発明とこれらの周知技術は、電話機の操作ボタンを緊急用ボタンとして使うことにおいて技術的に共通するとともに、これらの周知技術を引用発明に適用することに特段の阻害要因は見あたらないから、引用発明の「警報用暗証番号で操作される操作ボタン」を上記周知の「既存の操作ボタンの特定の一つ」に置き換えるとともに、その入力の態様として、上記周知の「所定回数押」しを採用して、本願発明のように、アラーム音発生ボタン設定手段によって設定された第１の操作ボタンが、所定回数押された場合だけに、アラーム音を発生させるよう構成することは、特段の創意工夫を要するものとは認められない。
　
[相違点２について］
　上記「３．引用発明 及び周知技術」の「Ｂ．］の項に述べたように、「電話機に設けられた既存の操作ボタンのうち、警報の発生用とは別の特定の操作ボタンが警報停止用に設定されること」は周知である。
　更に、同様に、「操作ボタンが所定回数押された場合に、警報音を停止させること」は周知である。
　そして、引用発明とこれらの周知技術は、操作部の既存の操作ボタンを緊急用ボタンとして使うことにおいて技術的に共通するとともに、これらの周知技術を引用発明に適用することに特段の阻害要因は見あたらないから、引用発明の「警報解除用暗証番号で操作される操作ボタン」を上記周知の「既存の操作ボタンのうち、警報の発生用とは別の特定の操作ボタン」に置き換えるとともに、その入力の態様として、上記周知の「所定回数押」しを採用して、本願発明のように、アラーム音停止ボタン設定手段によって設定された第２の操作ボタンが、所定回数押された場合だけに、アラーム音を停止させるよう構成することは、特段の創意工夫を要するものとは認められない。
　
　そして、本願発明の効果は、引用発明、及び周知技術から容易に予測し得るものであり、格別のものではない。
　  　　　　　　　　 
５．むすび
　したがって、本願発明は、引用例に記載された発明、及び周知技術に基づいて、当業者が容易に発明をすることができたものであるから、特許法第２９条第２項の規定により特許を受けることができない。 
　
　よって、結論のとおり審決する。